【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
筆記具用の自動調節式替え芯受座機構であって、
第１の長さを持つ第１のタイプの替え芯の第１の着座端部に係合するように構成された第１の着座面を備える第１の要素を有し、該第１の要素は、替え芯を収容する内部室を有する筆記具に嵌まるように寸法形状決めされ、前記第１の要素は、長手方向軸線を有し、
第２の長さを持つ第２のタイプの替え芯の着座端部に係合するように構成された第２の着座面を備える第２の要素を有し、該第２の要素は、前記第１の要素に対して第１の位置から第２の位置に軸方向に移動することができ、前記第２の要素は、前記第１のタイプの替え芯の前記第１の着座端部を挿通させて、前記第１の着座面に接触させることができるように構成され、
前記第１のタイプの替え芯を前記筆記具内に挿入すると、これが前記第１の着座表面に係合して、第１の替え芯室長が定められ、
前記第２のタイプの替え芯を前記筆記具内に挿入すると、これが少なくとも前記第２の着座面に係合し、前記第２の要素を前記第１の位置から前記第２の位置に自動的に移動させ、第２の替え芯室長が定められる、
替え芯受座機構。
【請求項２】
前記第１の要素はロッドであり、前記第２の要素は、前記第１の要素の少なくとも一部上を移動することができる中空スリーブである、請求項１記載の替え芯受座機構。
【請求項３】
前記第１の要素の少なくとも一部と、前記第２の要素の少なくとも一部との間に介在して設けられ、前記第２の要素を前記第２の着座面の前記第１の位置に付勢する付勢部材を更に有する、請求項１記載の替え芯受座機構。
【請求項４】
前記第２の室長が前記第１の室長よりも長い、請求項１記載の替え芯受座機構。
【請求項５】
前記第１の要素はヘッドを有し、前記替え芯受座機構は、前記ヘッドに作動的に係合するロッドを有し、前記ヘッドは、前記ロッドに対して第１の位置から第２の位置に軸方向に移動することができ、前記ヘッドが第３の長さを持ち、前記第２の長さの要素に係合するよう構成された第３のタイプの替え芯の着座端部と係合すると、前記ヘッドは、前記第１の位置から前記第２の位置に自動的に動いて第３の室長を定める、請求項１記載の替え芯受座機構。
【請求項６】
前記第２の要素の少なくとも一部と、前記ロッドの少なくとも一部との間に介在して設けられていて、前記第２の要素を前記第２の着座面の前記第２の位置に付勢する付勢部材を更に有している、請求項５記載の替え芯受座機構。
【請求項７】
前記ロッドは細長く、第１の端部、第２の端部及び前記端部のうち一方の中に少なくとも部分的に延びる軸方向開口部を備え、ステムが、前記ヘッドから突き出ており、前記ステムは、前記軸方向開口部に摺動自在に嵌まり込んでいる、請求項５記載の替え芯受座機構。
【請求項８】
前記ロッドは、前記ヘッドに向いた傾斜面を有し、前記ヘッドは、前記ロッドの傾斜面に向いたつがい関係をなす傾斜面を有し、前記ロッド及びヘッドの前記傾斜面は、前記ヘッドが前記ヘッドの前記第１の位置にあるとき、非噛み合い状態にあり、前記ロッド及びヘッドの前記傾斜面は、前記ヘッドが前記ヘッドの前記第２の位置にあるとき、噛み合い状態にある、請求項７記載の替え芯受座機構。
【請求項９】
筆記具用の自動調節式替え芯受座機構であって、
筆記具内に嵌まり込むように構成されたロッドを有し、前記ロッドは、外面、傾斜面を備えた第１の端部及び第２の端部を有し、
筆記具内に嵌まり、筆記具内を摺動するように構成された中空スリーブを有し、前記スリーブは、前記ロッドの少なくとも一部に摺動自在に係合し、前記スリーブは、内面を有し、
前記ロッドの少なくとも一部と前記スリーブの少なくとも一部との間に介在して設けられた付勢部材を有し、
前記スリーブ内に可動的に配置された受座を有し、受座は、ヘッド及びステムを有し、前記ヘッドは、前記ロッドの前記傾斜面に係合するよう協働的に構成された傾斜面を有し、
前記受座は、前記ロッドと前記受座の前記傾斜面相互の噛み合いが阻止され、それにより前記筆記具内に第１の替え芯のための第１の室長を定める第１の位置から、前記ロッドと前記受座の前記傾斜面が相互に噛み合い、それにより筆記具内に第２の替え芯のための第２の室長を定める第２の位置に自動的に動くことができる、替え芯受座機構。
【請求項１０】
前記ロッドは、前記外面から半径方向外方に延びる隆起耳を有し、前記スリーブは、前記内面から半径方向内方に延びるスプラインを有し、前記スプラインは、前記耳に摺動自在に係合するチャネルを構成している、請求項９記載の替え芯受座機構。
【請求項１１】
前記ロッドは、前記外面から半径方向外方に延びていて、前記隆起耳と長手方向に位置合わせ状態になる隆起レールを有している、請求項１０記載の替え芯受座機構。
【請求項１２】
前記受座は、半径方向外方に延びていて、前記チャネルに摺動自在に嵌まり込むよう寸法決めされた隆起タブを有している、請求項１１記載の替え芯受座機構。
【請求項１３】
前記隆起タブの少なくとも一部は、傾斜側部を有し、前記スプラインは、傾斜端部を有している、請求項１２記載の替え芯受座機構。
【請求項１４】
前記ロッドには、前記受座の前記ステムの少なくとも一部を受け入れるよう構成された開口部が設けられている、請求項９記載の替え芯受座機構。
【請求項１５】
前記付勢部材は、コイルばねである、請求項９記載の替え芯受座機構。
【請求項１６】
前記ヘッドは替え芯の端部と衝合することができるように形作られた着座面を有し、前記替え芯が前記替え芯受座機構の自動調節をもたらし、
前記替え芯が前記着座面との衝合を解くように移動して別の替え芯を前記着座面に衝合させることができる、
請求項９記載の替え芯受座機構。
【請求項１７】
可変長さ替え芯室を有する筆記具であって、替え芯カートリッジを保持する長さを有する細長い内部室を備えたハウジングを有し、前記ハウジングは、互いに結合される下方部分と上方部分を有し、前記ハウジング内に設けられた自動調節式替え芯受座機構を有し、前記替え芯受座機構は、
第１の長さを持つ第１のタイプの替え芯の第１の着座端部に係合するよう構成されている第１の着座面を備えた第１の要素を有し、前記第１の要素は、替え芯を収容する内部室を有する筆記具内に嵌まり込むような寸法形状になっており、前記第１の要素は、長手方向軸線を有し、
第２の長さを持つ第２のタイプの替え芯の着座端部に係合するよう構成された第２の着座面を備える第２の要素を有し、前記第２の要素は、前記第１の要素に対し第１の位置から第２の位置に軸方向に動くことができ、前記第２の要素は、第１のタイプの替え芯の第１の着座端部を前記第１の着座面に接触させるために挿通させることができるよう構成されており、
第１のタイプの替え芯を筆記具内に挿入すると、これが前記第１の着座表面に係合することにより、第１の替え芯室長が定められ、
第２のタイプの替え芯を筆記具内に挿入すると、これが少なくとも前記第２の着座面に係合して前記第２の要素を前記第１の位置から前記第２の位置に自動的に移動させることにより、第２の替え芯室長が定められる、筆記具。
【請求項１８】
前記第１の要素の少なくとも一部と前記第２の要素の少なくとも一部との間に介在して設けられた付勢部材を更に有している、請求項１７記載の筆記具。
【請求項１９】
筆記具であって、
少なくとも２つの互いに異なる長さのうち一方を有すると共に筆記端部及びこれと反対側の着座端部を備えた替え芯カートリッジを収容する細長い室を構成する上側部分と下側部分を備えたハウジングを有し、前記細長い室は、長さを有し、
前記替え芯カートリッジを前記ハウジングに挿入したときに、前記替え芯カートリッジの着座端部に選択的に係合するように構成された第１の着座要素と、
前記替え芯カートリッジを前記ハウジングに挿入したときに、前記替え芯カートリッジの着座端部に選択的に係合するように構成された第２の着座要素とを有し、
前記第１、第２の着座要素が互いに摺動自在に係合し、これら第１、第２の着座要素の両方が前記ハウジングの前記細長い室に配置され、
前記第１の要素と第２の要素は、前記ハウジングへの前記替え芯カートリッジの挿入時に替え芯カートリッジと係合ししたときに互いに対して移動して、替え芯が筆記のための正しい位置に保持されるように前記替え芯カートリッジ長さのうちの一つに対応するように前記ハウジング室の長さを自動的に調整する、
筆記具。
【請求項２０】
前記ハウジングの前記上方部分が閉じられ、これにより、前記第１、第２の着座要素を閉じ込め、前記第１、第２の着座要素の移動が前記ハウジングの前記細長い室内からもっぱら行われる、請求項１９記載の筆記具。
【請求項２１】
替え芯式筆記具内に種々の長さの替え芯を用いる方法であって、
細長い内部室を備えたハウジングを有する筆記具を用意することを含み、ハウジング及び室は、それぞれ長さを有し、ハウジングは、互いに結合される下方部分と上方部分を有し、
前記室に自動調節式替え芯受座機構を用意することを含み、前記機構は、
替え芯カートリッジを前記ハウジングに挿入したときに前記替え芯カートリッジの着座端部に選択的に係合するよう構成された第１の着座要素と、
替え芯カートリッジを前記ハウジングに挿入したときに前記替え芯カートリッジの着座端部に選択的に係合するよう構成された第２の着座要素とを有し、前記第１、第２の着座要素は互いに摺動自在に係合し、
ハウジングの下方部分と上方部分は互いに取り外し、
或る長さを有する替え芯を前記室内に挿入し、
ハウジングの下方部分と上方部分を再び結合することを含み、
前記替え芯が前記第１、第２の着座要素の少なくとも１つに係合し、前記第１及び第２の着座要素は、前記ハウジング又は前記室の長さ、或いは、前記第１、第２の着座要素の相対位置の手動調節を必要とすることなく、替え芯を筆記のための正しい位置に保持するように前記室長を自動的に調節するように、互いに対して移動することができる、
方法。
【請求項２２】
前記第１、第２の着座要素は、いずれの前記第１、第２の着座要素の移動も前記室への替え芯の前記挿入によって前記ハウジングの前記室内からもっぱら行われるように、前記ハウジングの閉鎖端に閉じ込められる、請求項２１記載の筆記具。
【請求項２３】
種々の長さの替え芯を収容する筆記具であって、
筆記端部及びこれと反対側の着座端部を備えた替え芯を収容する内部室が設けられたハウジングを有し、
第１のタイプの替え芯の着座端部に選択的に接触する第１の表面を備えた第１の着座要素を有し、
第２のタイプの替え芯の着座端部に選択的に接触する第２の表面を備えた第２の着座要素を有し、前記第２の着座要素は、第１の着座要素と作動的に係合し、替え芯との接触の際に第１の着座要素に対し自動的に軸方向に動くことができ、第１及び第２の着座要素は、ハウジングの内部室に設けられ、
前記第２の着座要素が前記第１の着座要素に対して動くことができることにより、種々の長さの替え芯を用いることができ、前記内部室を手動で調節しないで自動的に筆記のために前記筆記具内に正しく位置決めできる、
筆記具。
【請求項２４】
前記ハウジングが、
開放遠位筆記端部を有し、この開放遠位筆記端部を通って替え芯の端部の筆記端部が延びることができ、
前記内部室を閉鎖する閉鎖近位非筆記端部を有し、
前記第１、第２の着座要素が前記ハウジングの前記閉鎖端部内に位置決めされ、
前記第２の着座要素が前記内部室の前記替え芯と接触するまで移動される、
請求項２３記載の筆記具。
【請求項２５】
筆記具用の自動調節式替え芯受座機構であって、
筆記具内に嵌まり込むよう構成されたロッドを有し、前記ロッドは、室位置決め部分及びスリーブ受け入れ部分を有し、
前記筆記具内を摺動移動することができるように前記筆記具内に嵌まり込むように構成されたスリーブを有し、前記スリーブは、前記ロッドの前記スリーブ受け入れ部分の少なくとも一部に摺動自在に係合し、一定の長さ、形態の替え芯と接触したときに摺動することができ、
前記スリーブ内に設けられていて、前記ロッドの前記スリーブ受け入れ部分に係合可能な受座を有し、前記受座は、第１の位置から第２の位置に動くことができ、前記ロッド、スリーブ及び受座は、替え芯との接触により前記ロッドに対する前記受座の位置を自動的に調節するよう配置されると共に構成されている、自動調節式替え芯受座機構。
【請求項２６】
種々の長さの替え芯に対応するよう自動的に適合できる筆記具であって、
筆記端部及びこれと反対側の着座端部を備えた筆記具替え芯を収容する内部室を備えたハウジングを有し、前記ハウジングは、
或る長さと、
該長さの一方端部に設けられた開放筆記端部とを備え、該開放筆記端部を通って替え芯の筆記端部が延び、
前記長さの他方端部に設けられた閉鎖端部を備え、該閉鎖端部は、前記ハウジングの外側からのアクセスから前記内部室を閉鎖し、
前記ハウジングの前記長さに沿ってハウジング内に設けられた第１の着座面を有し、前記着座面は、第１の長さを持つ第１のタイプの替え芯の着座端部に係合するよう構成されており、前記第１の着座面は、第１のタイプの替え芯を前記ハウジング内に挿入すると、前記ハウジングの前記長さに沿って第１の位置に位置し、前記第１の位置は、第１の室長と関連し、
前記ハウジングの前記長さに沿って前記ハウジング内に設けられた第２の着座面を有し、前記第２の着座面は、第１の長さとは異なる第２の長さを持つ第２のタイプの替え芯の着座端部に係合するよう構成されており、前記第２の着座面は、第２のタイプの替え芯を前記ハウジング内に挿入すると、前記ハウジングの前記長さに沿って位置していて、前記第１の位置とは異なる第２の位置に位置し、前記第２の位置は、前記第１の室長とは異なる第２の室長と関連しており、
前記筆記具は、前記替え芯を前記ハウジングに挿入したときに前記第１、第２の着座要素の手動調節を必要とすることなく前記ハウジングの前記筆記端部を伸ばすように、第１又は第２のタイプの替え芯のいずれかの筆記端部に前記第１又は第２の着座面の手動調節を必要としないで正しい着座面の位置及び室長を自動的にもたらす、
筆記具。
【請求項２７】
前記第１の着座面は、形状が環状であり、前記第２の着座面の上方に隆起して位置していること特徴とする請求項２６記載の筆記具。
【請求項２８】
前記第１、第２着座要素は、第１のタイプの替え芯の第１の着座端部が前記第２の着座面に係合することなく前記第１の着座面に係合できるよう構成されている、請求項２３記載の筆記具。
【請求項２９】
前記第１の着座面及び前記第２の着座面は、一体構造のカップ状替え芯受座を形成している、請求項２２記載の筆記具。
【請求項３０】
前記第１の着座面及び前記第２の着座面が、手動調節することができるように前記内部室の外部からアクセスすることができない、請求項２６記載の筆記具。